(57)【要約】【課題】公営競技に対する情報を持っていなくても投資を楽しめる投資支援サーバを提供する。【解決手段】投資支援サーバ４は、登録済みの利用者毎に利用者情報と該利用者のインターネット投票を行うための識別情報とを記憶し、利用者からのアクセスがあると、利用者認証を行い、登録されていれば、投資可能なレースの種類を示すリストを利用者端末２に提供して、各レースそれぞれにつき所定の金額を上限値とした投資依頼を受け付ける。利用者からの投資依頼を受け付けた場合には、投資依頼を受けたレースそれぞれについてその発走時刻の所定時間前に、該利用者に代わってインターネット投票サーバ３にアクセスして受信した投資依頼に基づく投票券購入申込を行う。投資を行ったレースが的中した場合には、該レース以降に発走されるレースについての投票券購入申込処理を停止する。【選択図】図１
0003154769.tif 000002
【実用新案登録請求の範囲】
【請求項１】
公営競技におけるインターネット投票サービスを提供する投票サーバに対して利用者が端末装置を用いてインターネットを介して投票情報を送信することで投票券購入処理が行われるインターネット投票システムにおいて、利用者に対して投票券購入の際の投資方法を支援する投資支援サーバであって、
利用者端末装置および投票サーバとインターネットを介して通信するための通信手段と、
該投資支援サーバに対して利用者登録を行った利用者それぞれについて利用者情報と該利用者の投票サーバに対してインターネット投票を行うための識別子である識別情報とを記憶する利用者情報記憶手段と、
予め選出された利用者が投資を行うことが可能な所定数のレースおよび各レースにおける所定数の買い目からなる投資レース情報を記憶する投資情報記憶手段と、
利用者からのアクセスがあった場合、利用者端末装置から受信した該利用者に関する情報と前記利用者情報記憶手段に記憶された利用者情報とに基づき利用者認証を行う認証手段と、
利用者登録された利用者からのアクセスがあった場合、予め選出された利用者が投資可能なレースの種類を示すリストを利用者端末装置に送信して、各レースそれぞれにつき所定の金額を上限値とした投資依頼を受け付ける投資依頼処理手段と、
利用者からの投資依頼を利用者端末装置より受信した場合に、投資依頼を受けたレースそれぞれについてその発走時刻の所定時間前に、前記記憶手段に記憶された該利用者の識別情報を用いて該利用者に代わって投票サーバにアクセスして、前記投資情報記憶手段に記憶された投資レース情報と受信した投資金額とに基づいて投票券購入申込を行う投票処理手段と、
投資を行ったレースが的中したかどうかを判定し、的中した場合には、該レース以降に発走されるレースについての投票券購入申込処理を停止する自動停止処理手段とを備えていることを特徴とする投資支援サーバ。
【請求項２】
該投資支援サーバに対して利用者登録を行うことが可能な利用者の数の上限が所定値に設定されていることを特徴とする請求項１に記載の投資支援サーバ。
【考案の詳細な説明】
【技術分野】
【０００１】
本考案は、利用者が各自の資産を運用するために、競馬、競艇、競輪などの公営競技に投資をする際に、効率良く投資できるよう支援する投資支援サーバに関する。
【背景技術】
【０００２】
競馬や競輪、競艇などの公営競技の投票券を買い、レースの結果による配当金を楽しむファンは多い。投票券の購入者にとって、どのレースにおけるどの種類（式別）の投票券で何倍の配当が得られるかを知ることは、きわめて重大な関心事である。つまり、投票券の購入者は、いくらの投資でいくらの利益が得られるかという収益を期待した上で、投票券を購入している。
【０００３】
予め決められた金額内で効率の良い投資を行うためには、例えば競馬での投票馬券の購入に際しては、出走する各馬の過去のレース状況、各馬の血統、レース開催時点における馬の状態などを注意深く見極めてレース結果を予想する必要があり、専門知識や経験、情報収集能力などが求められる。そこで、投票券購入者は、予想情報提供者から提供される予想情報を参考にしてレース結果を予想することで、投票馬券の購入において効率良く投資を行うようにしている。上記予想情報は、例えば競馬の場合には、競馬場の予想屋、競馬専門の予想紙、テレビやラジオの競馬番組などから提供されている。また、近年では、ネットワークを介して、予想情報を提供して投資を支援するものも知られている（例えば、特許文献１参照）。
【先行技術文献】
【特許文献】
【０００４】
【特許文献１】特開２００１−１８８８４７号公報
【考案の概要】
【考案が解決しようとする課題】
【０００５】
近年、「３連勝複式」や「３連勝単式」などの導入により、公営競技における投票券の種類（式別）が多様化・複雑化され、それに伴い、投票可能な買い目の数が極めて多くなっており、決められた金額内で投票を行う際には、多数のレースのほぼ無数にある買い目の中から所望の条件に該当する買い目を絞り込む必要性がある。しかし、買い目を絞り込んで投票するためには、ある程度の専門知識や経験を必要とするとともに、初心者はもとより専門知識を持つ人でも予想に多大の時間を要し、特に、初心者にとっては比較的単純な式別であっても、買い目を決めることは難しく、長続きしなくなる恐れもある。
【０００６】
本考案は、上記した問題に着目してなされたもので、利用者が公営競技に対する多くの情報（知識、経験）を持っていなくても公営競技への投資を楽しむことができるとともに、簡単かつ多大な時間を要さないで投資をすることができる投資支援サーバを提供することを目的とする。
【課題を解決するための手段】
【０００７】
本発明の前記目的は、公営競技におけるインターネット投票サービスを提供する投票サーバに対して利用者が端末装置を用いてインターネットを介して投票情報を送信することで投票券購入処理が行われるインターネット投票システムにおいて、利用者に対して投票券購入の際の投資方法を支援する投資支援サーバであって、利用者端末装置および投票サーバとインターネットを介して通信するための通信手段と、該投資支援サーバに対して利用者登録を行った利用者それぞれについて利用者情報と該利用者の投票サーバに対してインターネット投票を行うための識別子である識別情報とを記憶する利用者情報記憶手段と、
予め選出された利用者が投資を行うことが可能な所定数のレースおよび各レースにおける所定数の買い目からなる投資レース情報を記憶する投資情報記憶手段と、利用者からのアクセスがあった場合、利用者端末装置から受信した該利用者に関する情報と前記利用者情報記憶手段に記憶された利用者情報とに基づき利用者認証を行う認証手段と、利用者登録された利用者からのアクセスがあった場合、予め選出された利用者が投資可能なレースの種類を示すリストを利用者端末装置に送信して、各レースそれぞれにつき所定の金額を上限値とした投資依頼を受け付ける投資依頼処理手段と、利用者からの投資依頼を利用者端末装置より受信した場合に、投資依頼を受けたレースそれぞれについてその発走時刻の所定時間前に、前記記憶手段に記憶された該利用者の識別情報を用いて該利用者に代わって投票サーバにアクセスして、前記投資情報記憶手段に記憶された投資レース情報と受信した投資金額とに基づいて投票券購入申込を行う投票処理手段と、投資を行ったレースが的中したかどうかを判定し、的中した場合には、該レース以降に発走されるレースについての投票券購入申込処理を停止する自動停止処理手段とを備えていることを特徴とする投資支援サーバにより達成される。
【０００８】
本考案の好ましい実施態様においては、該投資支援サーバに対して利用者登録を行うことが可能な利用者の数の上限が所定値に設定されていることを特徴としている。
【考案の効果】
【０００９】
本考案の投資支援サーバによると、利用者は、公営競技に対する多くの情報（知識、経験）を持っていなくても公営競技への投資を楽しむことができるとともに、簡単かつ多大な時間を要さないで投資をすることができる。
【図面の簡単な説明】
【００１０】
【図１】この考案の投資支援サーバを含む投資支援システムの機略構成を示す説明図である。
【図２】投資支援サーバの電気的な構成を示すブロック図である。
【図３】投資支援サーバによる制御の流れを示すフローチャートである。
【図４】図３の手順の続きを示すフローチャートである。
【図５】図４の手順の続きを示すフローチャートである。
【図６】利用者端末に表示されるログイン画面である。
【図７】利用者端末に表示されるインターネット投票の会員ＩＤの入力画面である。
【図８】利用者端末に表示されるパスワード変更の変更画面である。
【図９】利用者端末に表示されるメニュー画面である。
【図１０】利用者端末に表示されるレース情報画面である。
【図１１】利用者端末に表示される一括選択画面である。
【図１２】利用者端末に表示される投資依頼確認画面である。
【図１３】利用者端末に表示されるレース選択画面である。
【図１４】利用者端末に表示されるレース詳細情報画面である。
【図１５】利用者端末に表示される投資依頼確認画面である。
【考案を実施するための形態】
【００１１】  以下、本考案の実施形態について、添付図面を参照して説明する。図１は、本発明の一実施例である投資支援サーバ４を含む投資支援システム１の全体構成を示す。この投資支援システム１は、競馬、競艇、競輪などの公営競技、本実施例では、日本中央競馬会（公序良俗違反につき、不掲載）が開催する中央競馬に利用者が投資をして各自の資産を運用する際に、その投資方法を支援するためのものであり、図１に示すように、本システム１を利用する複数の利用者が所持する利用者端末２と、公営競技の主催者（本実施例では（公序良俗違反につき、不掲載））が管理するインターネット投票サーバ３と、各利用者の利用者端末２とインターネット投票サーバ３との間に介在し、利用者が効率の良い投資を行うことができる投票券（馬券）を購入することができるように支援するシステム運営者の投資支援サーバ４とから構成されている。
【００１２】  利用者端末２、投資支援サーバ４、および、インターネット投票サーバ３は、通信網であるインターネット５を介してネットワーク接続されており、利用者端末２は投資支援サーバ４に対して、投資支援サーバ４は（公序良俗違反につき、不掲載）が管理するインターネット投票サーバ３に対して、それぞれ任意にアクセスできるようになっている。
【００１３】  公営競技の主催者（公序良俗違反につき、不掲載）が管理するインターネット投票サーバ３は、インターネットを通じて馬券などの投票券の投票を受け付けるものである。現在、公営競技などの主催者は、会員登録済みの会員に対して、実際に投票所に行かなくても投票券の投票を行うことができるシステムを提供しており、その一例として、会員が所有するパソコンや携帯電話機などからインターネットを通じて主催者が管理するインターネット投票サーバ３にアクセスし、インターネット投票サーバ３に投票内容を送信することにより投票を行えるインターネット投票システム（例えば、（公序良俗違反につき、不掲載）が提供する「ＩＰＡＴ」：登録商標）が知られている。この場合、投票の際の投票金額や的中した際の払戻金は、会員登録の際に、会員がインターネット投票のために開設した銀行の専用口座、あるいは、会員が指定した銀行の個人口座から出入金されて決済される。
【００１４】  本実施例では、このようなインターネット投票システムを利用しており、本システム１を利用するための条件として、利用者は公営競技の主催者（公序良俗違反につき、不掲載）に対して、事前にインターネット投票のための会員登録申込手続を行っておく必要がある。インターネット投票の会員登録が行われると、会員には会員登録情報として、会員ＩＤ（本実施例では、「ＩＮＥＴ−ＩＤ」、「加入者番号」、「Ｐ−ＡＲＳ番号」、および「暗証番号」）が発行され、インターネット投票サーバ３に対してインターネット投票を行う際には、この会員ＩＤによる認証が必要となっている。
【００１５】
なお、このインターネット投票サーバ３は公知のものであり、ここではその詳細な説明は省略する。
【００１６】
利用者が所持する利用者端末２は、インターネットの接続機能（ホームページの閲覧機能）や電子メールの送受信機能を備えたものであり、本実施例では、携帯電話機が用いられる。なお、利用者端末２としては、インターネットに接続可能なものであれば、パーソナルコンピュータ（ＰＣ）やＰＤＡなど、どのような端末であっても構わない。
【００１７】
各利用者端末２は、図示は省略するが、端末の各部を統括制御する制御部と、インターネット５と端末２とを接続するための通信部と、各種情報を入力するための入力部と、情報を表示するための表示部とを備えている。制御部は、通信部を介して投資支援サーバ４にアクセスして、入力部により入力された情報を投資支援サーバ４に送信したり、投資支援サーバ４から受信した情報を表示部に表示したりする。
【００１８】  システム運営者の投資支援サーバ４は、利用者が予め決められた金額の範囲内で（公序良俗違反につき、不掲載）主催の中央競馬に投資をするに際して、数あるレース（１日につき１２レース）の多数の買い目の中から、投資をどのようにしたら効率良く資金を回収できるかを利用者に対して情報提供するものであり、具体的には、多数のレース中から、予め運営者が高配当の出る確率が高くかつ的中する確率の高いレースを複数選出して、これらのレースに対しての投資（つまり、馬券の購入）を利用者に対して提供するものである。そして、提供したレース（投資レース）について利用者からの投資の申し込みがあると、（公序良俗違反につき、不掲載）のインターネット投票サーバ３に対して、上記の投資レースに関する馬券を利用者に代わって利用者名義で購入する構成となっている。
【００１９】  図２は、本考案の一実施例である投資支援サーバ４の構成を示すブロック図であり、マイクロコンピュータより成る制御部６の他、各種のデータファイルおよびアプリケーションを有する記憶部７、インターネット５を介して各利用者端末２および公営競技主催者（公序良俗違反につき、不掲載）のインターネット投票サーバ３と交信するための交信部８、マウス、キーボードなどの入力部９、およびディスプレイなどの表示部１０を備えている。これらの各部はバス１１を介して接続されている。
【００２０】
記憶部７のデータファイルとしては、利用者を特定するデータ（利用者情報）を保存するユーザ情報ファイル７０、利用者に提供する投資レースに関するデータを保存する投資レース情報ファイル７１、利用者からの投資内容を保存する投資内容ファイル７２、利用者のこれまでの投資依頼の履歴を保存する投資履歴ファイル７３、利用者の収支額などを保存する収支額ファイル７４などがある。
【００２１】  ユーザ情報ファイル７０には、利用者登録されている全ての利用者について、利用者毎に利用者情報、例えば、「ユーザＩＤ」、「パスワード」、「氏名」、「住所」、利用者が所持する利用者端末２の「メールアドレス」、公営競技主催者（公序良俗違反につき、不掲載）に対してインターネット投票を行うための会員ＩＤ（「ＩＮＥＴ−ＩＤ」、「加入者番号」、「Ｐ−ＡＲＳ番号」、「暗証番号」）が記憶される。
【００２２】
投資レース情報ファイル７１には、公営競技（中央競馬）が開催される開催日（毎月土曜日、日曜日）毎に、利用者に提供する投資レースに関する情報が格納されている。具体的には、「投資レースの場名およびレース番号」、「投資する馬券の式別」、「投資する馬券の買い目」、「オッズ」、「投資レースの発走時刻」などが、開催日毎に対応づけられて記憶されている。
【００２３】
本実施例では、投資レースとして、１開催日あたり５つのレースが利用者に対して提供され、１レースあたり２０通りの買い目が設定されている。また、馬券の式別は全て「三連複（１着、２着および３着に入る３頭の馬の組み合わせを当てる投票方式）」のみを対象としている。一般的には、大きな配当を狙えば狙うほど、反比例して的中率はダウンするものであるが、「三連複」は、例えば１着、２着に人気のある馬（配当の低い馬）が入っても、３着に人気のない馬（配当の高い馬）が入れば、高配当になることもあるので、「的中率」と「配当」のバランスが合理的に折り合った式別が選択されている。
【００２４】
さらに、買い目としては、全て高配当（いわゆる「万馬券」、あるいは、万馬券に近い配当）となる買い目のみが選出されている。よって、いずれか一つのレースで的中すれば、利用者に対して高いリターンを提供できるようになっている。なお、詳細は後述するが、本システム１では、的中した時点でその開催日における投資は終了する、すなわち、３レース目で的中した場合には、投資は３レース目で終了するし、１レース目で的中した場合には、投資は１レース目で終了するようになっている。また、５レース全て的中しなかった場合でも、５レースでその開催日における投資は終了する。
【００２５】
各レースの１つの買い目に対する投資金額は、１００円から最大で１０００円までであり、利用者は１レースあたり２０００円（１００円×２０通り）から投資することができるようになっている。このように、１開催日あたりの投資レース数と１レースあたりの買い目の数の上限を決めることにより、仮に全てのレースで的中しなかった場合でも、１日あたりの利用者の損失は１００００円（１つの買い目あたり１００円で投資した場合）となり、利用者のリスクと精神的負担を軽減している。
【００２６】
また、本システム１では投資に参加する利用者全員が各レース、同じ買い目の馬券を購入することになるために、利用者一人一人が各買い目に対して高額の投資を行うと、その買い目の人気が上って配当（オッズ）が下がることになる。そのため、１レースあたりの投資金額の上限（最大投資金額）を決めること（本実施例では、２００００円＝１０００円×２０通り）で、その買い目の配当（オッズ）が過度に下がるのを防止している。
【００２７】
なお、上記したような投資レース、および、各投資レースにおける買い目は、運営者の独自の予想または分析に基づいて自動的に選出されて、各利用者に提供されている。
【００２８】
投資内容ファイル７２には、競馬開催日の当日に、利用者が投資支援サーバ４に対して投資依頼をしたレースおよび各レースにおけるその投資額など、投資内容に関する情報がそれぞれ利用者毎に対応付けられて記憶されている。
【００２９】  投資履歴ファイル７３には、各利用者各々について、これまで利用者が実際に投資したレースおよび各レースにおけるその投資額、さらに投資を行ったレースが的中した場合に、公営競技の主催者（公序良俗違反につき、不掲載）から払い戻される配当（オッズ）に基づいて計算した払戻額（１つの買い目に対する投資金額×オッズ）などが、開催日毎にそれぞれ対応付けられて記憶されている。
【００３０】
収支額ファイル７４には、利用者が投資により実際にどれだけの収益を得たかを示す情報が格納され、具体的には、各利用者各々について、投資レース数、的中したレース数、配当として回収した払戻総額、投資総額、収益（払戻総額−投資総額）、回収率などが、例えば月毎に記憶されている。
【００３１】
また、記憶部７のアプリケーションファイルとしては、投資支援サーバ４にアクセスしてきた利用者が利用者登録されているか否かを確認するための認証処理ファイル７５と、利用者からの投資依頼を処理する投資依頼処理ファイル７６と、インターネット投票サーバ３に対して利用者からの投資内容に基づく投票処理を行う投票処理ファイル７７と、投資を行ったレースが的中した場合に、次レース以降の投資を停止する投資停止処理ファイル７８と、各種データファイルの更新を行うデータ更新処理ファイル７９とがある。制御部６は、これらのアプリケーションファイルの実行に伴い、各種のデータファイルに対するデータの読み書きを行いつつ、入出力各部の動作を一連に制御する。
【００３２】  次に、以上の構成を備えた投資支援サーバ４の処理手順について、図３〜図５を参照して説明する。本システム１を利用して自己の資産を（公序良俗違反につき、不掲載）が主催する中央競馬に投資を行うためには、まず最初に、利用者はシステム運営者の投資支援サーバ４に対して利用者登録を行う必要がある。なお、本システム１を利用するための条件としては、上述したように、利用者は公営競技主催者（公序良俗違反につき、不掲載）に対して事前にインターネット投票のための会員登録申込手続を行っておく必要もある。
【００３３】
利用者登録を申請するには、まず、氏名、住所、メールアドレスなどを所定のフォームで投資支援サーバ４に送る。投資支援サーバ４は、これを受けて申請者にユーザＩＤと初期パスワード（例えば、「００００」）を付与し、このユーザＩＤおよび初期パスワードをユーザ情報ファイル７０に格納するとともに、申請者に対してＥメールなどで連絡する。この際、投資支援サーバ４のホームページにアクセスするためのアドレス情報（ＵＲＬ）も連絡する。
【００３４】
なお、利用者登録の申請手続は、本システム１上においてオンラインで行ってもよく、あるいは、郵便などを介してオフラインで行ってもよい。こうして利用者登録が完了すると、申請者（新規登録利用者）は、自己の所持する利用者端末２から投資支援サーバ４のホームページにアクセスすることが可能になって、本システム１を利用して中央競馬に投資することが可能になる。
【００３５】
なお、投資支援サーバ４に対して利用者登録を行うことができる利用者の数、すなわち、本システム１を利用して中央競馬に投資することができる利用者の数は、その上限が決められており、本実施例では３０００人となっている。これは、本システム１では投資に参加する利用者全員が各レース、同じ買い目の馬券を購入することになるために、利用者の数が多いと、各買い目に対して高額の投資を行うことになる結果、その買い目の人気が上って配当（オッズ）が下がることになる。そのため、利用者の数の上限を決めることで、その買い目の配当（オッズ）が過度に下がるのを防止している。
【００３６】
投資支援サーバ４は、利用者登録済みの利用者の利用者端末２からのアクセスを受けると、図３のＳＴ１が「ＹＥＳ」となってＳＴ２に進み、この利用者の利用者端末２に対して、ログイン画面に関するページデータを送信する。利用者の利用者端末２の表示部には、そのページデータに基づいて、図６に示すログイン画面が表示され、利用者が利用者端末２の入力部により利用者のユーザＩＤ、およびパスワード（新規登録利用者は初期パスワード「００００」）を入力して、「ＯＫ」を実行することにより、利用者の利用者端末２から投資支援サーバ４にユーザＩＤなどが送信される。
【００３７】
投資支援サーバ４がユーザＩＤなどを受信すると、ＳＴ３が「ＹＥＳ」となってＳＴ４に進み、ユーザ情報ファイル７０を検索して、その中に受信したユーザＩＤ、およびパスワードが登録されているかどうかを判別する。ユーザ情報ファイル７０に当該ユーザＩＤなどの登録があって、利用者登録されている利用者からのアクセスであることを確認すると、ＳＴ５に進み、利用者の利用者端末２に対して、利用者のインターネット投票のための会員ＩＤの送信を促すための入力画面に関するページデータを送信する。ＳＴ４において、もし、ユーザＩＤなどの登録がなければ、ＳＴ６に進み、利用者からのアクセスではないと判別してエラー処理を行う。
【００３８】
利用者の利用者端末２の表示部には、そのページデータに基づいて、図７に示す入力画面が表示され、利用者が利用者端末２の入力部により、インターネット投票のための会員ＩＤ（ＩＮＥＴ−ＩＤ、加入者番号、Ｐ−ＡＲＳ番号、および暗証番号）を入力して、「ＯＫ」を実行することにより、利用者の利用者端末２から投資支援サーバ４に利用者のインターネット投票のための会員ＩＤが送信される。
【００３９】
投資支援サーバ４が利用者の前記会員ＩＤを受信すると、ＳＴ７が「ＹＥＳ」となってＳＴ８に進み、投資支援サーバ４は、ユーザ情報ファイル７０にアクセスして、その中に前記会員ＩＤが登録されているかどうかを判別する。このとき、ユーザ情報ファイル７０に当該会員ＩＤの登録がなければ、投資支援サーバ４は、アクセスしてきた利用者は新規登録利用者であると判別し、ＳＴ９に進んで、受信したインターネット投票のための会員ＩＤを当該利用者のユーザＩＤと関連付けてユーザ情報ファイル７０に書き込み、図４のＳＴ１０に進む。
【００４０】
次のＳＴ１０において、投資支援サーバ４は、パスワードを「００００」と入力した新規登録利用者の利用者端末２に対して、パスワードの変更を促すための変更画面に関するページデータを送信する。新規登録利用者の利用者端末２の表示部には、そのページデータに基づいて、図８に示す変更画面が表示され、利用者が利用者端末２の入力部により、変更したパスワードを入力して、「変更」を実行することにより、利用者の利用者端末２から投資支援サーバ４に利用者の新たなパスワードが送信される。
【００４１】
投資支援サーバ４が利用者の新たなパスワードを受信すると、ＳＴ１１は「ＹＥＳ」であり、投資支援サーバ４は当該利用者のユーザ情報ファイル７０に記憶されている初期パスワード「００００」を受信した新たなパスワードに書き換えた後（ＳＴ１２）、ＳＴ１６に進む。
【００４２】
一方、図３のＳＴ８において、ユーザ情報ファイル７０にインターネット投票のための会員ＩＤの登録があれば、投資支援サーバ４は、アクセスしてきた利用者が新規登録利用者ではないと判別してＳＴ１３に進み、ユーザ情報ファイル７０を検索して、ユーザ情報ファイル７０に登録されている当該会員ＩＤと、受信した会員ＩＤとを照合する。
【００４３】
上記照合の結果、照合が一致すれば、図４のＳＴ１４は「ＹＥＳ」であり、ＳＴ１６に進む。一方、上記照合の結果、照合が一致しなければ、ＳＴ１４は「ＮＯ」であり、エラー処理を行う（ＳＴ１５）。
【００４４】
次に、ＳＴ１６では、投資支援サーバ４は、利用者の利用者端末２に対して、メニュー画面に関するページデータを送信する。利用者の利用者端末２の表示部には、そのページデータに基づいて、図９に示すメニュー画面が表示される。メニュー画面には、開催日当日の投資レースについての情報を表示する「本日のレース情報」ボタン、利用者が開催日当日に投資した投資内容を表示する「本日の投資内容照会」ボタン、利用者のこれまでの投資内容の履歴を表示する「投資履歴照会」ボタン、利用者登録情報の変更を行う「登録情報変更」ボタン、「お知らせ」ボタンなどが表示されている。以下では、利用者が「本日のレース情報」ボタンをクリックした場合の手順を説明する。
【００４５】
利用者が「本日のレース情報」ボタンをクリックすると、ＳＴ１７は「ＹＥＳ」となってＳＴ１８に進み、投資支援サーバ４は、利用者の利用者端末２に対して、投資レースの情報を提供するためのレース情報画面に関するページデータを送信する。利用者の利用者端末２の表示部には、そのページデータに基づいて、図１０に示すレース情報画面が表示される。
【００４６】
ここで、利用者が「投資レース一括」ボタンをクリックすると、ＳＴ１９は「ＹＥＳ」となってＳＴ２０に進み、投資支援サーバ４は、図１１に示すような一括選択画面を利用者の利用者端末２に表示する。この一括選択画面においては、その開催日当日に運営者から利用者に対して提供される投資レースの全てが、その発走時刻の早い順に一括表示されており、投資レース毎に投資額の入力ボックスが表示されている。各入力ボックスには、それぞれ右端の矢印をクリックすることにより、そのレースにおける１つの買い目あたりの投資額が、１００円から１０００円までの間で１００円刻みでプルダウン表示される。利用者が表示された全ての投資レースについて、１買い目あたりの投資額を入力して「決定」ボタンをクリックすると、入力内容が投資支援サーバ４に送信されて、全投資レースについて一括した投資依頼が投資支援サーバ４に対してなされる。
【００４７】
投資支援サーバ４が利用者からの投資依頼を受信すると、ＳＴ２１が「ＹＥＳ」となって図５のＳＴ２２に進み、投資支援サーバ４は、投資内容ファイル７２に入力された投資内容を書き込むとともに、図１２に示すような、投資内容を整理した投資依頼確認画面を利用者の利用者端末２に表示する。利用者は、この投資依頼確認画面で投資内容を確認することができる。なお、投資内容に誤りを発見した場合や、投資内容を変更したい場合には、各投資レースのレース発走時刻の１５分前まで修正することができる（投資受付締切時刻がレース発走時刻の１５分前となっている。）。
【００４８】
一方、図１０において、利用者が「投資レース選択」ボタンをクリックすると、図４のＳＴ１９が「ＮＯ」、ＳＴ２３が「ＹＥＳ」となってＳＴ２４に進み、投資支援サーバ４は、図１３に示すようなレース選択画面を利用者の利用者端末２に表示する。このレース選択画面においては、その開催日当日に運営者から利用者に対して提供される投資レースの中から、利用者が投資を希望するものだけを選択して投資することができるようになっている。
【００４９】
利用者が投資を希望する投資レースについて、「購入」ボタンをクリックすると、投資支援サーバ４は、図１４に示すように、当該レースの詳細情報画面を利用者の利用者端末２に表示する。この詳細情報画面には、その投資レースで購入される買い目が表示され、利用者が表示された情報を基にして、投資額の入力ボックスに１買い目あたりの投資額を入力して「購入」ボタンをクリックすると、入力内容が投資支援サーバ４に送信されるとともに、利用者の利用者端末２には再びレース選択画面（図１３）が表示される。同様にして、利用者が他に投資を希望する投資レースについても投資額を入力して、レース選択画面の「決定」ボタンをクリックすると、投資を希望した投資レースについて投資支援サーバ４に対して投資依頼がなされる。なお、詳細情報画面（図１４）に表示される買い目は、その一部を消しておくことで、利用者には完全に買い目が分からなくしておくのが望ましい。
【００５０】
投資支援サーバ４が利用者からの投資依頼を受信すると、ＳＴ２５が「ＹＥＳ」となって図５のＳＴ２２に進み、投資支援サーバ４は、投資内容ファイル７２に入力された投資内容を書き込むとともに、図１５に示すような、投資内容を整理した投資依頼確認画面を利用者の利用者端末２に表示する。利用者は、この投資依頼確認画面で投資内容を確認することができる。なお、投資内容に誤りを発見した場合や、投資内容を変更したい場合には、各投資レースのレース発走時刻の１５分前まで修正することができる。
【００５１】
さらに図１０において、利用者が「一括キャンセル」ボタンをクリックすると、図４のＳＴ１９，ＳＴ２３が「ＮＯ」、ＳＴ２６が「ＹＥＳ」となってＳＴ２７に進み、投資支援サーバ４は、その利用者により投資依頼がなされている投資内容を全てキャンセルして、その利用者については投資依頼がされていない状態にする。
【００５２】  図５に戻って、次に、投資支援サーバ４は、発走時刻の最も早い投資レースについて、投資受付締切時刻になると、ＳＴ２８が「ＹＥＳ」となってＳＴ２９に進み、投資内容ファイル７２に記憶されている投資内容を参照して、当該レースに対して投資を行った利用者全てについて、ユーザ情報ファイル７０に記憶されているその利用者のインターネット投票会員ＩＤを使って、それぞれ投資内容に基づく投票内容を公営競技主催者（公序良俗違反につき、不掲載）のインターネット投票サーバ４にインターネット５を介して送信することにより、利用者に代わって投票券（馬券）の投票処理を行う。
【００５３】
投票内容が的中した場合には、ＳＴ３０が「ＹＥＳ」となってＳＴ３１に進み、投資支援サーバ４は、レースに的中したことを全ての利用者の利用者端末２に対して、例えば自動メールなどによりリアルタイムで配信する。これによって、各利用者は投資の結果について認識することができる。なお、的中したレースにおける払い戻しは、投資支援サーバ４を介することなく、公営競技の主催者から各利用者へ、インターネット投票のための専用の銀行口座などへの振込みにより直接行われる。
【００５４】
そして、投資支援サーバ４は、これ以降に発走される投資レースについて、その投資を停止する処理を行い（ＳＴ３２）、この開催日における投資を終了する。なお、次レース以降の投資の停止についての報告も、上記した的中の報告とともに全ての利用者に対して連絡するのが望ましい。
【００５５】  一方、投票内容が的中しなかった場合には、ＳＴ３０が「ＮＯ」となってＳＴ３３に進み、まだ全ての投資レースが終わっていなければ、ＳＴ２８に戻って、発走時刻が次に早い投資レースについて、その投資受付締切時刻になるのを待機する。そして、同様に、次の投資レースの投資受付締切時刻になると、投資内容ファイル７２に記憶されている投資内容を参照して、当該レースに対して投資を行った利用者全てについて、ユーザ情報ファイル７０に記憶されているその利用者のインターネット投票会員ＩＤを使って、それぞれ投資内容に基づく投票内容を公営競技主催者（公序良俗違反につき、不掲載）のインターネット投票サーバ４にインターネット５を介して送信することにより、利用者に代わって投票券（馬券）の投票処理を行う。
【００５６】
そして、次レースについて投票内容が的中した場合には、レースに的中したことを全ての利用者の利用者端末２に対し自動メールなどによりリアルタイムで配信するとともに（ＳＴ３１）、これ以降の投資レースについてその投資を停止する処理を行って（ＳＴ３２）、この開催日における投資を終了する。また、次レースについても投票内容が的中しなかった場合には、上記した同様の操作を繰り返し、その結果、５レース全ての投資レースが的中しなかった場合には、ＳＴ３３が「ＹＥＳ」となってＳＴ３４に進み、投資支援サーバ４は、この開催日については全ての投資レースについて的中がなかったことを全ての利用者の利用者端末２に対して自動メールなどにより送信して、この開催日における投資を終了する。
【００５７】
上記した構成の投資支援システム１によると、「投資レースの選択（各レースにおける買い目）」、「投票券（馬券）の購入」、「投資レースに的中した場合、それ以降の投資レース投資停止」などの作業が全て自動で行われるので、各利用者は公営競技（競馬）の知識、経験などはほとんど必要なく、公営競技に対して投資を行うことができる。また、各利用者は、公営競技の開催日当日に、所有する利用者端末２を用いて投資支援サーバ３にアクセスし、その開催日に提供される投資レースについて、その投資金額のみを決定、操作するだけで、それ以外の時間の拘束がないので、簡単かつ多大な時間を要さないで公営競技に対する投資を楽しむことができる。
【００５８】  以上、本考案の一実施例について説明したが、本考案の具体的な態様は、上記実施例に限定されるものではない。例えば、本実施例では、（公序良俗違反につき、不掲載）が主催する中央競馬に対する投資に対して説明しているが、これに限らず、本考案の投資支援システムは、地方競馬全国協会（ＮＡＲ）が主催する地方競馬への投資についても適用できるほか、競輪、競艇など、その他の公営競技にも適用することが可能である。
【符号の説明】
【００５９】
１    投資支援システム
２    利用者端末
３    インターネット投票サーバ
４    投資支援サーバ
５    インターネット
６    制御部
７    データファイル
８    交信部
７０  ユーザ情報ファイル
７５  認証処理ファイル
７６  投資依頼処理ファイル
７７  投票ファイル
７８  投資停止処理ファイル
【図１】
0003154769.tif 000003
【図２】
0003154769.tif 000004
【図３】
0003154769.tif 000005
【図４】
0003154769.tif 000006
【図５】
0003154769.tif 000007
【図６】
0003154769.tif 000008
【図７】
0003154769.tif 000009
【図８】
0003154769.tif 000010
【図９】
0003154769.tif 000011
【図１０】
0003154769.tif 000012
【図１１】
0003154769.tif 000013
【図１２】
0003154769.tif 000014
【図１３】
0003154769.tif 000015
【図１４】
0003154769.tif 000016
【図１５】
0003154769.tif 000017